(57)【要約】【課題】広口容器に収納されている収納物を、キャップを取り外すことなく取り出すことのできるキャップに関する。【解決手段】容器本体の口頸部に装着する開口部を有するキャップ本体と該キャップ本体の開口部を覆う蓋材、およびキャップ本体前方面に設けた凹部内へ、左右外側へ突出する回転軸を設けた開閉用ボタン部材を、前記凹部左右壁面に設けた軸受部へ、前記回転軸を枢着させ、前記開閉用ボタン部材を押し込むことにより、蓋材前部を押し上げて、キャップ本体と蓋材の係合が解除可能に形成したキャップにおいて、前記キャップ本体の軸受部は、回転軸の径より大きい幅を有し、かつ、前記開閉用ボタン部材は、回転軸より外側の位置に垂下するサポートリブを設けたことを特徴とする開閉可能な蓋材を有するキャップ。【選択図】図１
2008184201.tif 000002
【特許請求の範囲】
【請求項１】
容器本体の口頸部に装着する開口部を有するキャップ本体と該キャップ本体の開口部を覆う蓋材、およびキャップ本体前方面に設けた凹部内へ、左右外側へ突出する回転軸を設けた開閉用ボタン部材を、前記凹部左右壁面に設けた軸受部へ、前記回転軸を枢着させ、前記開閉用ボタン部材を押し込むことにより、蓋材前部を押し上げて、キャップ本体と蓋材の係合が解除可能に形成したキャップにおいて、
前記キャップ本体の軸受部は、回転軸の径より大きい幅を有し、かつ、前記開閉用ボタン部材は、回転軸より外側の位置に垂下するサポートリブを設けたことを特徴とする開閉可能な蓋材を有するキャップ。
【請求項２】
前記キャップ本体の凹部に、蓋材を閉じた時、前記サポートリブが載置される位置に載置リブを設けたことを特徴とする請求項１記載の開閉可能な蓋材を有するキャップ。
【請求項３】
前記キャップ本体の凹部に、蓋材を閉じた時、前記サポートリブが位置する位置より外側に段部を設けたことを特徴とする請求項１記載の開閉可能な蓋材を有するキャップ。
【請求項４】
前記サポートリブに、内方に延出する先端に係止部を有する嵌合ロックリブを設け、かつ、前記凹部に嵌合溝を有する係止壁がさらに設けられ、前記嵌合ロックリブが、係止壁の嵌合溝にスライド移動可能に嵌合されていることを特徴とする請求項１ないし３のいずれかに１項に記載の開閉可能な蓋材を有するキャップ。
【発明の詳細な説明】
【技術分野】
【０００１】
本発明は、例えば広口容器に収納されている収納物を取り出す際に、キャップを取り外すことなく蓋材を開いて取り出すことのできるキャップに関するものである。収納物としては、洋風だし、乾燥食材、焼き菓子等の固形状物、調味料、加工食材等の顆粒状物、洗剤、入浴剤等の紛粒状物等が例示できる。
【背景技術】
【０００２】
広口容器の蓋をワンタッチで開口できる技術が知られている。上記容器は、開口用のバネ部材により閉方向に付勢されたキャップを備えており、開閉用ボタンを押し下げることによりキャップ本体と蓋材を係止する係止爪同士の係止が解除され、蓋が開口するように構成されている（例えば、特許文献１参照）。
【０００３】
以下に先行技術文献を示す。
【特許文献１】特開２００６−６９６６９号公報
【発明の開示】
【発明が解決しようとする課題】
【０００４】
上記容器を落下させたりして容器に衝撃が加わると係止爪同士の係止が外れ、蓋が開口してしまう問題があった。
【０００５】
本発明は上記した従来の問題点を鑑みてなされるものであり、次のようなキャップを提供することを目的とする。すなわち、本発明の目的は、容器に衝撃が加わっても容易に係止爪同士の係止が外れることがなく、蓋を開口したい場合には、ボタンをスライドさせて押し下げることで容易に開口できるキャップを提供することである。
【課題を解決するための手段】
【０００６】
上記の課題を解決するために、まず本発明の請求項１に係る発明は、
容器本体の口頸部に装着する開口部を有するキャップ本体と該キャップ本体の開口部を覆う蓋材、およびキャップ本体前方面に設けた凹部内へ、左右外側へ突出する回転軸を設けた開閉用ボタン部材を、前記凹部左右壁面に設けた軸受部へ、前記回転軸を枢着させ、前記開閉用ボタン部材を押し込むことにより、蓋材前部を押し上げて、キャップ本体と蓋材の係合が解除可能に形成したキャップにおいて、
前記キャップ本体の軸受部は、回転軸の径より大きい幅を有し、かつ、前記開閉用ボタン部材は、回転軸より外側の位置に垂下するサポートリブを設けたことを特徴とする開閉可能な蓋材を有するキャップである。
【０００７】
次に、本発明の請求項２に係る発明は、
前記キャップ本体の凹部に、蓋材を閉じた時、前記サポートリブが載置される位置に載置リブを設けたことを特徴とする請求項１記載の開閉可能な蓋材を有するキャップである。
【０００８】
次に、本発明の請求項３に係る発明は、
前記キャップ本体の凹部に、蓋材を閉じた時、前記サポートリブが位置する位置より外側に段部を設けたことを特徴とする請求項１記載の開閉可能な蓋材を有するキャップである。
【０００９】
次に、本発明の請求項４に係る発明は、
前記サポートリブに、内方に延出する先端に係止部を有する嵌合ロックリブを設け、かつ、前記凹部に嵌合溝を有する係止壁がさらに設けられ、前記嵌合ロックリブが、係止壁の嵌合溝にスライド移動可能に嵌合されていることを特徴とする請求項１ないし３のいずれかに１項に記載の開閉可能な蓋材を有するキャップである。
【発明の効果】
【００１０】
本発明のキャップは、片方の手でも容易に蓋材を開口することができる。そして、開封はキャップ本体の前方上端に組み込まれた開閉用ボタン部材の前方先端を引き、さらに下へ押圧することにより蓋材が上部方向に回転して開口する。
【００１１】
また、キャップ本体の開口部が広いために収納物が取り出し易い。そして、固形状物、顆粒状物、紛体状物、液状物等収納する収納物が制約されない。
【００１２】
また、本発明のキャップは、構成するキャップ本体、蓋材、開閉用ボタン部材、とも全て合成樹脂とすることができる。そして、内容物に混入する金属製の異物を検出するための金属探知機を使用することができる。
【００１３】
さらに、使用後に廃棄処理するときに、分別回収する必要がないか又は容易に分別回収することができる。
【００１４】
また、本発明のキャップは、キャップ本体に開閉用ボタン部材と蓋材の組み込みが容易でセットし易い。
【００１５】
また、本発明のキャップは、キャップ本体に蓋材が完全にロックされる。そして、該容器が転倒しても蓋材が開封することがない。このために、収納物がこぼれ出すことがない。
【００１６】
蓋材の係止爪の上面が、キャップ本体の係止爪の上面に線接触で摺接する。このために、キャップ本体の係止爪が、主に前方方向へ押圧されて移動変形し易い。そして、不必要な力を必要としないため、蓋材をキャップ本体に閉じ易い。
【００１７】
また、本発明のキャップは収納物を取り出した後、再封するた際には、蓋材の前方縁部を指で前方下方へ押圧するだけで蓋材とキャップ本体が係合できる。
【発明を実施するための最良の形態】
【００１８】
本発明の開閉可能な蓋材を有するキャップを実施の形態に沿って以下に図面を参照しながら詳細に説明する。図１〜図１２は本発明の一実施例を示す。
【００１９】
図１は本発明のキャップの構成の一実施例の概略を示す斜視図である。また、図２はキャップ本体の平面の概略を示す概略図である。さらに、図３はキャップ本体の断面の概略を示す概略図である。
【００２０】
図１に示すように本発明のキャップ（９０）はキャップ本体（１０）と開閉用ボタン部材（３０）と蓋材（４０）から構成されている。
【００２１】
前記キャップ本体（１０）は図２および図３に示すように天板（１１）が環状で、内側周縁部に、前方形状が左右方向直線状で、左右両側形状が円形で、後方形状が左右方向直線状の蓋材収容環状段差（１２）が設けられている。
【００２２】
また、蓋材収容環状段差（１２）の内周に図３に示す内壁（１３）を垂設して取出開口部（１４）が設けられている。
【００２３】
さらに、図２及び図３に示すように、キャップ本体（１０）の周壁（１５）は、円筒状で、天板（１１）と周壁（１５）の上端前方位置に、左右両側壁に対応させて図１及び図３に示すように例えば逆Ｕ字状の軸受部（２３）が設けられている。そして、開閉用ボタン部材（３０）を回転可能に収容する開閉用ボタン部材収容凹部（１６）が形成されている。
【００２４】
また、図１及び図２に示すように、この開閉用ボタン部材収容凹部（１６）の後方の左右方向中央位置の、上端に蓋材（１０）との係止爪（１７）を後方方向にもつ垂直断面形状がＵ字状の一方に爪部（１８）を下方位置から上方に設けられている。
【００２５】
また、垂直断面形状がＵ字状の他方の中央に開閉用ボタン部材の先端に係止部を有する嵌合ロックリブと嵌合するスリット溝を有する係止壁（２２）が設けられている。そして、スリット溝を有する係止壁（２２）が設けられている前方方向に開閉用ボタン部材のロックリブが嵌合した際に、開閉用ボタン部材のサポートリブが載置する載置部（２２）が突設されている。
【００２６】
さらに図２及び図３に示すように、開閉用ボタン部材収容凹部（１６）の対向側のキャップ本体（１０）の天板（１１）と周壁（１５）の上端後方位置に、図６〜図９に示すような、蓋材（４０）の取付部（４１）を収容する蓋材取付部収容凹部（１９）が設けられている。
【００２７】
また、図２に示すように、蓋材取付部収容凹部（１９）の左右両側壁に対応させて回転接合軸（２０）が突設されている。
【００２８】
次に、図４は本発明のキャップの開閉用ボタン部材の構造の一実施例の概略を示す斜視図である。また、図５は図４の前方方向から見た概略を示す概略図である。
【００２９】
前記開閉用ボタン部材（３０）は図４に示すように前方に円弧をもつ長方形状で、上面前方位置に指が掛かり易くするために、前方向が深くなっている円弧状の溝部（３５）が設けられている。
【００３０】
また、前方端の内側にサポートリブ（３１）とサポートリブ（３１）の中央に内方に延出する嵌合ロックリブ（３４）がＴの字状に延設されている。さらに、左右両側端に、対応させて外面中央位置に回転軸（３２）が設けられている外周形状がＵ字状の取付板（３３）が垂設されている。
【００３１】
そして、後方端左右両側に、蓋材を閉蓋した際に蓋材の開封を防止し、蓋材を開封する際には、蓋材の先方端を押上げる蓋開口防止ロック爪（３６）が後方に突設されている。
【００３２】
また、開閉用ボタン部材（３０）は、取付板（３２）に設けられている回転軸（３２）がキャップ本体（１０）の開閉用ボタン部材収容凹部の左右両側壁に設けられている逆Ｕ字状の軸受部（２３）に挿入することによりキャップ本体（１０）と開閉用ボタン部材（３０）が一体化される。ここで、前記軸受部（２３）は、蓋材の回転軸（３２）の径より大きい幅を有し、前後にスライド可能な構造となっていれば、逆Ｕ字状に限定されるものでない。
【００３３】
次に、図６は本発明のキャップの蓋材（４０）の構造の一実施例の概略を示す斜視図で
ある。また、図７は図６に示す蓋材の平面の概略を示す概略図である。さらに、図８は図６に示す蓋材の側面の概略を示す概略図である。
【００３４】
本発明のキャップの蓋材（４０）は図６に示すように前方形状が左右方向直線状で、左右両側形状が円形で、後方形状が左右方向直線状に形成している。そして、図６〜図９に示すように、外周に沿って内側に、キャップ本体（１０）の取出開口部に挿着する挿着壁（４２）が垂設されている。
【００３５】
前記挿着壁（４２）の前方の左右方向中央位置に、前方方向のキャップ本体との係止爪（４３）をもつ垂直状の爪部（４４）が垂設されている。そして、爪部（４４）の上方端の左右両側に開閉用ボタン部材の蓋開口防止ロック爪が出入りするロック爪孔（４５）が設けられている。
【００３６】
また、蓋材（４０）の後方端の左右方向中央位置に、図６〜９に示すように、左右の側壁（４６）と後方壁（４７）とからなる下向きの取付部（４１）が突設されている。そして、図８に示すように左右の側壁（４６）の外側にキャップ本体の蓋材取付部収容凹部の回転接合軸と嵌合する回転軸孔（４８）が設けられている。
【００３７】
そして、回転軸孔（４８）とキャップ本体の蓋材取付部収容凹部の左右両側壁に対応させて突設されている回転接合軸（２０）が軸支することによりキャップ本体と蓋材が一体化される。
【００３８】
そして、前記キャップ本体、蓋材、開閉用ボタン部材は、適度の剛性をもつ熱可塑性樹脂、例えば、低密度ポリエチレン樹脂、中密度ポリエチレン樹脂、高密度ポリエチレン樹脂、線状低密度ポリエチレン樹脂、ポリプロピレン樹脂、エチレン−酢酸ビニル共重合体、アイオノマー樹脂、エチレン−アクリル酸共重合体、エチレン−アクリル酸エチル共重合体、エチレン−メタクリル酸共重合体、エチレン−メタクリル酸メチル共重合体、エチレン−プロピレン共重合体、メチルペンテンポリマー樹脂、ポリブテンポリマー樹脂、ポリエチレンまたはポリプロピレンなどのポリオレフィン系樹脂をアクリル酸、メタクリル酸、マレイン酸、無水マレイン酸、フマール酸、イタコン酸などの不飽和カルボン酸で変性した酸変性ポリオレフィン樹脂、ポリ酢酸ビニル系樹脂、ポリ（メタ）アクリル系樹脂等を用いて、射出成形法により作製される。
【００３９】
また、広口容器に収納する収納物あるいは収納物の保存方法、保存期間あるいは流通方法等によって容器及びキャップ本体、蓋材、開閉用ボタン部材に使用される樹脂が適宜選定される。
【００４０】
また、容器及びキャップ本体、蓋材、開閉用ボタン部材に要求される品質、耐性、使用条件などによって副資材である着色剤あるいは帯電防止剤あるいは紫外線吸収剤、界面活性剤、老化防止剤、離型剤なども適宜選定される。そして、使用される樹脂と均一に攪拌された後に用いられる。
【００４１】
また、上記、使用される副資材は通常公知のものが用いられる。例えば容器を着色する場合にはカラードペレット（着色ペレット）、マスターバッチ、ドライカラー等が用いられる。
【００４２】
また、マスターバッチは着色する樹脂と同種の材料にあらかじめ顔料を高濃度に分散させてあるもので、計量しやすく、取り扱いやすいために広く使用されている。またドライカラーは粉末状のものを表面処理して分散性を向上させたもので、ポリエチレン（ＰＥ）、ポリスチレン（ＰＳ）、ポリアミド（ＰＡ）アクリル樹脂などに用いられている。
【００４３】
また、熱可塑性樹脂等のプラスチックは、一般に電気絶縁性が非常に優れているために、摩擦したり、重ね合わせたりすると容易に帯電するためにゴミが付着し易く美観をそこなうだけでなく、製造現場の作業者に電撃を与えたり、時には火災を起こすことがある。
【００４４】
上記、帯電を防止するために帯電防止剤が用いられる。帯電防止剤を使用する際の選択は、成形される成形品の収納物、成形品に使用される樹脂、成形条件などを考慮して成される。また、使用方法には練り込み型と塗布型があるが、防止効果の持続性では練り込み型の方がすぐれ、多く用いられる。公知の帯電防止剤としては、非イオン系、カチオン系のものがあり、いずれも使用することができる。
【００４５】
次に、図１０〜図１２は本発明のキャップの蓋材を開閉する際の状態の概略を説明する説明図である。本発明のキャップは図１０〜図１２に示すように、広口容器（７０）の口頸部に咬合係止して装着される。そして、キャップ本体（１０）に、蓋材（４０）と開閉用ボタン部材（３０）が組み込まれている。
【００４６】
また、キャップ本体の係止爪の上面傾斜角度と蓋材の係止爪の上面傾斜角度とを異なる傾斜角度にした。
また、本発明のキャップの閉じた状態は図１０に示すようにキャップ本体（１０）の取出開口部に蓋材（４０）が被さり、蓋材（４０）の爪部（４５）の係止爪（４３）とキャップ本体（１０）の係止爪（１７）が噛み合い、蓋材（４０）が係止される。
【００４７】
前記キャップ本体（１０）の係止爪（１７）の上面傾斜角度と蓋材（４０）の係止爪（４３）の上面傾斜角度とを異なる傾斜角度に形成されている。
【００４８】
このために蓋材（４０）をキャップ本体（１０）に閉じるときに、蓋材（４０）の係止爪（４３）の上面が、キャップ本体（１０）の係止爪（１７）の上面に線接触で摺接するため、キャップ本体（１０）の係止爪（１７）が、主に前方方向へ押圧されて移動変形し易い。そして、不必要な力を必要としないため、蓋材（４０）をキャップ本体（１０）に閉じ易い。
また、キャップ本体（１０）の係止爪（１７）の上面傾斜角度と蓋材（４０）の係止爪（４３）の上面傾斜角度をほぼ同じにすると、蓋材（４０）の係止爪（４３）の上面が、キャップ本体（１０）の係止爪（１７）の上面に面接触で摺接し、キャップ本体（１０）の係止爪（１７）が、前方方向のみでなく下方へも押圧されて移動変形し易くなる。
【００４９】
このために、不必要な力を必要とし、蓋材（４０）をキャップ本体（１０）に閉じにくくなることがある。
【００５０】
また、キャップ本体（１０）の開閉用ボタン部材収容凹部（１６）の左右両側壁（２４）設けられている逆Ｕの字状の軸受け部（２３）に回転軸（３２）が挿入されている開閉用ボタン部材（３０）が蓋材（４０）方向に押される。そして、蓋材（４０）のロック爪孔（４３）に開閉用ボタン部材（３０）の蓋開口防止爪（３６）が挿入される。
【００５１】
さらに、キャップ本体（１０）のロックリブ嵌合溝（２２）に開閉用ボタン部材（３０）の嵌合ロックリブ（３４）が嵌合すると共に、キャップ本体（１０）の載置リブ（２１）上に開閉用ボタン部材（３０）のサポートリブ（３１）の下部面が載置される。そして、キャップ本体（１０）と蓋材（４０）と開閉用ボタン部材（３０）が一体化し、容器が転倒しても蓋材（４０）が開封することがない。
【００５２】
次に、本発明のキャップの蓋材を開封する場合には、図１１に示すように開閉用ボタン
部材（３０）を前方方向に引ことにより、キャップ本体（１０）のロックリブ嵌合溝（２２）にそって、開閉用ボタン部材（３０）の嵌合ロックリブ（３４）が移動する。そして、キャップ本体（１０）の載置リブ（２１）上に載置されていた開閉用ボタン部材（３０）のサポートリブ（３１）が外れ下部面に空間部が形成される。
【００５３】
次に、前方方向に引いた開閉用ボタン部材（３０）の前方方向を図１２に示すように押すことにより引ことに、キャップ本体（１０）の係止爪（１７）と蓋材（４０）の爪部（４５）の係止爪（４３）の噛み合いが外れる。そして、蓋材が開封される。
【００５４】
また、キャップ本体（１０）の係止爪（１７）と蓋材（４０）の爪部（４５）の係止爪（４３）の噛み合いが外れ際に、蓋材が後方に回転して開口させることもできる。例えばその方法としては、蓋材の後方に設けられている取り付け部とキャップ本体（１０）の蓋材取付部収容凹部に公知のバネ部材やスポンジ部材またはゴム部材等を設けることにより蓋材が後方側へほぼ９０度回転させることができる。
【００５５】
前記説明は、蓋材が閉じた状態では、キャップ本体（１０）の載置リブ（２１）上に開閉用ボタン部材（３０）のサポートリブ（３１）が載置されている構造である。
【００５６】
前記構造以外、前記載置リブ（２１）を設けずに、キャップ本体凹部（１６）の天面の前方側を、例えば傾斜面、あるいは段差面からなる段部を設けた構造としてもよい。
【００５７】
また、蓋材が閉じた状態においては、サポートリブ（３１）の下端は、凹部（１６）の天面に載置されており、次に、開閉用ボタン部材（３０）を前方に移動させることで前記サポートリブ（３１）は、凹部（１６）の天面との間に隙間が生じ、蓋材の開くことが可能な状態となる。
【産業上の利用可能性】
【００５８】
本発明のキャップは、洋風だし、乾燥食材、焼き菓子等の固形状物、調味料、加工食材等の顆粒状物、洗剤、入浴剤等の紛体物等を収納する容器のワンタッチキャップとして優れていることはもとより、片方の手だけで収納を取り出すことのできない産業部材用容器や医療関連部材容器等にも利用できるなど、広い分野に利用できる。
【図面の簡単な説明】
【００５９】
【図１】本発明のキャップの構成の一実施例の概略を示す斜視図である。
【図２】本発明のキャップのキャップ本体の平面の概略を示す概略図である。
【図３】キャップ本体の断面の概略を示す概略図である。
【図４】本発明のキャップの開閉用ボタン部材の構造の一実施例の概略を示す斜視図である。
【図５】開閉用ボタン部材の前方方向から見た概略を示す概略図である。
【図６】本発明のキャップの蓋材（４０）の構造の一実施例の概略を示す斜視図である。
【図７】図６に示す蓋材の平面の概略を示す概略図である。
【図８】図６に示す蓋材の側面の概略を示す概略図である。
【図９】図６に示す蓋材の底面の概略を示す概略図である。
【図１０】本発明のキャップの蓋材を開閉する際の状態の概略を説明する説明図である。
【図１１】本発明のキャップの蓋材を開閉する際の状態の概略を説明する説明図である。
【図１２】本発明のキャップの蓋材を開閉する際の状態の概略を説明する説明図である。
【符号の説明】
【００６０】
１０……キャップ本体
１１……天板
１２……蓋材収容環状段差
１３……内壁
１４……取出開口部
１５……キャップ本体の周壁
１６……凹部
１７……係止爪
１８……爪部
１９……蓋材取付部収容凹部
２０……回転接合軸
２１……載置リブ
２２……係止壁
２３……軸受部
２４……側壁
３０……開閉用ボタン部材
３１……サポートリブ
３２……回転軸
３３……Ｕ字状の取付板
３４……嵌合ロックリブ
３５……円弧状の溝部
３６……蓋開口防止爪
４０……蓋材
４１……取付部
４２……挿着壁
４３……係止爪
４４……爪部
４５……ロック爪孔
４６……側壁
４７……後壁
４８……回転軸孔
７０……広口容器
９０……キャップ
【図１】
2008184201.tif 000003
【図２】
2008184201.tif 000004
【図３】
2008184201.tif 000005
【図４】
2008184201.tif 000006
【図５】
2008184201.tif 000007
【図６】
2008184201.tif 000008
【図７】
2008184201.tif 000009
【図８】
2008184201.tif 000010
【図９】
2008184201.tif 000011
【図１０】
2008184201.tif 000012
【図１１】
2008184201.tif 000013
【図１２】
2008184201.tif 000014